(57)【要約】      （修正有）【課題】インパクトシールドのサイズを幼児の体格に合わせて調節可能であり、大きな衝撃に対応でき、より安全で且つ快適に幼児を保護できるチャイルドシート用インパクトシールドを提供する。【解決手段】シートベルトと幼児の前面間に介挿されるインパクトシールド５であって、上壁部１０と、下壁部１１と、これらを上記幼児側の面で連結する垂直壁部１２と、スペーサ１６と、上記上壁部１０と下壁部１１間に形成したシートベルト挿通溝８とより成り、上記垂直壁部１２が２部分に分割されており、その一方が他方に相対的に上向に摺動自在であって、上記一方が上昇した位置で上記一方の下部を上記スペーサ１６が支持し、上記スペーサ１６の端面が上記垂直壁部１２の幼児側面と一線となる。【選択図】図５
2008062821.tif 000002
【特許請求の範囲】
【請求項１】
シートベルトと幼児の前面間に介挿されるインパクトシールドであって、上壁部と、下壁部と、これらを上記幼児側の面で連結する垂直壁部と、スペーサと、上記上壁部と下壁部間に形成したシートベルト挿通溝とより成り、上記垂直壁部が２部分に分割されており、その一方が他方に相対的に上向に摺動自在であって、上記一方が上昇した位置で上記一方の下部を上記スペーサが支持し、上記スペーサの端面が上記垂直壁部の幼児側面と一線となることを特徴とするインパクトシールド。
【請求項２】
上記スペーサの操作用突起が上記下壁部の上面に露出されていることを特徴とする請求項１記載のインパクトシールド。
【請求項３】
上記上方に摺動自在な垂直壁部の一方にその上昇操作用の係合部が設けられていることを特徴とする請求項１または２記載のインパクトシールド。
【請求項４】
シートベルトと幼児の前面間に介挿されるインパクトシールドであって、上壁部と、下壁部と、これらを上記幼児側の面で連結する垂直壁部と、上記上壁部と下壁部間に形成したシートベルト挿通溝と、上記上壁部の上部と上記垂直壁部の上部に形成された上面開放の空所内に傾動自在に配置された傾動壁部と、この傾動壁を傾動状態に保持する手段とより成り、上記傾動壁部を傾動せしめた位置で上記傾動壁部の上記幼児側の面が上記垂直壁部の上記幼児側の面と一線となることを特徴とするインパクトシールド。
【請求項５】
シートベルトと幼児の前面間に介挿されるインパクトシールドであって、上壁部と、下壁部と、これらを上記幼児側の面で連結する垂直壁部と、上記上壁部と下壁部間に形成したシートベルト挿通溝と、上記垂直壁部の上記幼児側の面に形成した上下に延びる溝と、この溝内に上下動自在に挿入した、上記垂直壁部の上記幼児側の面と一線となる背面を有する、上記溝より長い可動垂直壁と、この可動垂直壁を上記垂直壁部に相対的に任意の高さに固定する固定手段とより成ることを特徴とするインパクトシールド。
【請求項６】
上記固定手段が、上記可動垂直壁に形成した複数の上下の孔と、この孔の任意のものに係合されるよう上記下壁部に摺動自在に設けたストッパーとより成ることを特徴とする請求項５記載のインパクトシールド。
【請求項７】
上記可動垂直壁の下部に上記下壁部側に延び上記下壁部の下面に係合する係合部が設けられていることを特徴とする請求項５または６記載のインパクトシールド。
【請求項８】
上記可動垂直壁の側面とこれに対応する上記垂直壁の溝の側面の何れか一方にガイドピンが突設されており、何れか他方にガイド溝が形成されていることを特徴とする請求項５、６または７記載のインパクトシールド。
【発明の詳細な説明】
【技術分野】
【０００１】
本発明はインパクトシールド、特に、チャイルドシート用インパクトシールドに関するものである。
【背景技術】
【０００２】
現在日本市場では、幼児用のチャイルドシートはインパクトシールドを用いるタイプがある。インパクトシールドタイプ以外にはハーネス拘束タイプ、着衣ベストタイプなどがある。このインパクトシールドは適応体重が９〜１８ｋｇの幼児に対応させる為に、全ての製品が共用を狙いその中間のサイズにしている。これらの製品でも国の認証試験では小さな子供から大きな子供まで合格はしているが、本来は小さい子供はもう少し小さく大きい子供にはもう少し大きい方がベターである。
【０００３】
このようなインパクトシールドとしては特許文献１、２及び３に示すものが知られている。
【特許文献１】特開２００１−２２５６８２号公報
【特許文献２】実開平２−１８７３２号公報
【特許文献３】実用新案登録第３０７６９８５号公報
【０００４】
図１６は特許文献１に示す従来のチャイルドシートであって、１はチャイルドシート、２はチャイルドシート本体、３は座部、４は袖壁部、５はこの袖壁部４上に載置されるインパクトシールド、６は延出部材、７はシートベルト、８は上記シートベルト７が挿通するよう上記インパクトシールド５に設けた溝、９は上記インパクトシールド５の上部に被せたクッションである。
【０００５】
このようなチャイルドシートにおいては、チャイルドシート本体を自動車の座席に固定設置して幼児を着席させ、次いで車両本体に備え付けの大人用シートベルトをこのチャイルドシート本体並びに幼児の前面に沿って引き回し、このシートベルトの幼児と重なる部分にインパクトシールドを装着することによって幼児の体をチャイルドシートに保持し、幼児を衝撃等から保護する。
【０００６】
特許文献２と３は、上記インパクトシールド７を幼児の大きさに合せてシートベルト７に沿って上下せしめるようにしたものである。
【発明の開示】
【発明が解決しようとする課題】
【０００７】
然しながら、上記何れの特許文献に示すものも幼児に接するインパクトシールドの面積は一定で変化しないため大きな衝撃には対応できない欠点があった。
【０００８】
本発明はこのような欠点を除くようにしたものである。
【課題を解決するための手段】
【０００９】
本発明のインパクトシールドは、シートベルトと幼児の前面間に介挿されるインパクトシールドであって、上壁部と、下壁部と、これらを上記幼児側の面で連結する垂直壁部と、スペーサと、上記上壁部と下壁部間に形成したシートベルト挿通溝とより成り、上記垂直壁部が２部分に分割されており、その一方が他方に相対的に上向に摺動自在であって、上記一方が上昇した位置で上記一方の下部を上記スペーサが支持し、上記スペーサの端面が上記垂直壁部の幼児側面と一線となることを特徴とする。
【００１０】
上記スペーサの操作用突起が上記下壁部の上面に露出されていることを特徴とする。
【００１１】
また、上記上方に摺動自在な垂直壁部の一方にその上昇操作用の係合部が設けられていることを特徴とする。
【００１２】
本発明のインパクトシールドは、シートベルトと幼児の前面間に介挿されるインパクトシールドであって、上壁部と、下壁部と、これらを上記幼児側の面で連結する垂直壁部と、上記上壁部と下壁部間に形成したシートベルト挿通溝と、上記上壁部の上部と上記垂直壁部の上部に形成された上面開放の空所内に傾動自在に配置された傾動壁部と、この傾動壁を傾動状態に保持する手段とより成り、上記傾動壁部を傾動せしめた位置で上記傾動壁部の上記幼児側の面が上記垂直壁部の上記幼児側の面と一線となることを特徴とする。
【００１３】
本発明のインパクトシールドは、シートベルトと幼児の前面間に介挿されるインパクトシールドであって、上壁部と、下壁部と、これらを上記幼児側の面で連結する垂直壁部と、上記上壁部と下壁部間に形成したシートベルト挿通溝と、上記垂直壁部の上記幼児側の面に形成した上下に延びる溝と、この溝内に上下動自在に挿入した、上記垂直壁部の上記幼児側の面と一線となる背面を有する、上記溝より長い可動垂直壁と、この可動垂直壁を上記垂直壁部に相対的に任意の高さに固定する固定手段とより成ることを特徴とする。
【００１４】
上記固定手段が、上記可動垂直壁に形成した複数の上下の孔と、この孔の任意のものに係合されるよう上記下壁部に摺動自在に設けたストッパーとより成ることを特徴とする。
【００１５】
また、上記可動垂直壁の下部に上記下壁部側に延び上記下壁部の下面に係合する係合部が設けられていることを特徴とする。
【００１６】
また、上記可動垂直壁の側面とこれに対応する上記垂直壁の溝の側面の何れか一方にガイドピンが突設されており、何れか他方にガイド溝が形成されていることを特徴とする。
【発明の効果】
【００１７】
本発明のインパクトシールドによれば、インパクトシールドのサイズを幼児の体格に合せて調節可能であり、大きな衝撃に対応でき、より安全で且つ快適に幼児を保護できるようになる。
【発明を実施するための最良の形態】
【００１８】
以下図面によって本発明の実施例を説明する。
【実施例１】
【００１９】
本発明においては図１及び図２に示すようにインパクトシールド５を上壁部１０と、チャイルドシートの袖壁部４上に載置される下壁部１１と、これらを上記幼児側の面で連結する垂直壁部１２とにより構成し、上記上壁部１０と下壁部１１間にシートベルト７のための横方向に延びる挿通溝８を形成すると共に、上記垂直壁１２の中央部に上下に延びるコ字状の溝１３を形成し、この溝１３に可動垂直壁１４を上下動自在に嵌合せしめ、上記下壁部１１内中央部には上記コ字状の溝１３に連通する上記下壁部１１の長手方向に延びる水平孔１５を形成し、この水平孔１５内にスペーサ１６を上記下壁部１１の長手方向に摺動自在に挿入せしめる。
【００２０】
また、上記スペーサ１６の前端部上面には操作用突起１７を突出して設け、この突起１７を上記下壁部１１の上面に突出せしめるため、上記下壁部１１の上面には下壁部１１の長手方向に沿って延びる長溝１８を形成する。
【００２１】
なお、１９は上記可動垂直壁１４に形成した上下操作用段溝である。
【００２２】
本発明のインパクトシールド５は上記のような構成であるから、通常は図１，図２に示すように可動垂直壁１４はコ字状の溝１３内に格納されており、可動垂直壁１４と共に垂直壁部１２により形成される幼児の腹部に対する接触面積は最小であるが、図３〜図５に示すように上記段溝１９を利用して上記垂直壁部１２に相対的に上記可動垂直壁１４を上昇せしめ、操作用突起１７を操作してスペーサ１６を水平孔１５内で摺動して上記上昇した可動垂直壁１４の下側に挿入せしめれば、上記可道垂直壁１４の上記幼児側の面と、スペーサ１６の端面と、上記垂直壁部１２の上記幼児側の面との合計により形成される幼児の腹部に対する接触面積が大きくなり、幼児の体格に対応できるようになる。
【実施例２】
【００２３】
本発明の第２の実施例においては図６及び図７に示すようにインパクトシールド５を上壁部１０と、チャイルドシートの袖壁部４上に載置される下壁部１１と、これらを上記幼児側の面で連結する垂直壁部１２とにより構成し、上記上壁部１０と下壁部１１間にシートベルト７のための横方向に延びる挿通溝８を形成すると共に、上記上壁部１０の上部と上記垂直壁１２の上部に上面開放の共通の空所２０を形成し、この空所２０内に傾動壁２１を傾動自在に配置し、上記傾動壁２１を上記空所２０内で上方に傾動したとき、図８及び図９に示すように上記傾動壁２１の上記幼児側の端面が上記垂直壁１２の幼児側の面と一線をなす位置となるようにする。
【００２４】
なお、上記傾動壁２１の傾動はその前端部に設けた長孔２２と、この長孔２２に挿通されるよう上記上部壁１０に設けた枢支ピン２３によってなされるようにし、上記傾動壁２１が図９に示すように上方に傾動された状態では上記傾動壁２１に枢支ピン２４を介してその上端部を枢支したリンク状ストッパー２５の下端が上記垂直壁１２の上面凹部２６に係合して上記傾動壁２１が傾動されたまま維持されるようにする。
【実施例３】
【００２５】
本発明の第３の実施例においては図１０〜図１２に示すようにインパクトシールド５を上壁部１０と、チャイルドシートの袖壁部４上に載置される下壁部１１と、これらを上記幼児側の面で連結する垂直壁部１２とにより構成し、上記上壁部１０と下壁部１１間にシートベルト７のための横方向に延びる挿通溝８を形成すると共に、上記垂直壁１２の中央部に上下に延びるコ字状の溝１３を形成し、この溝１３に上記垂直壁部１２の高さより高い可動垂直壁２７を上下動自在に嵌合せしめ、上記下壁部１１内中央部には上記下壁部１１の前面から上記溝１３に向って長手方向にこれを貫通して延びる棒状ストッパー２８を設け、上記可動垂直壁２７には上記棒状ストッパー２８が挿入される孔２９を上下に設け、この任意の孔２９に上記棒状ストッパー２８を貫通せしめることによって上記可動垂直壁２７を任意の高さに固定できるようにする。
【００２６】
なお、上記可動垂直壁２７の両側面にはガイドピン３０を突設し、またはガイド溝３１を設け、これに対応する垂直壁１２の溝１３の両側面にガイド溝３１またはガイドピン３０を設けて垂直壁１２によって可動垂直壁２７をガイドせしめるようにしても良い。
【実施例４】
【００２７】
本発明の第４の実施例においては図１３〜図１５に示すように上記可動垂直壁２７の下部前面に前方に延びる傾斜面３２を形成し、これに係合する傾斜面３３を上記下壁部１１下面に形成する。
【００２８】
本発明のこの実施例のインパクトシールド５は上記のような構成であるから、小さな幼児に対しては図１４に示すように可動垂直壁２７を垂直壁部１２に相対的に下方に下げ、大きな幼児に対しては図１５に示すように可動垂直壁２７を垂直壁部１２に相対的に上昇せしめれば、幼児の体格に対応できる。
【図面の簡単な説明】
【００２９】
【図１】本発明のインパクトシールドの斜視図である。
【図２】図１に示すインパクトシールドの縦断側面図である。
【図３】図１に示すインパクトシールドの他の使用状態を示す斜視図である。
【図４】図３に示すインパクトシールドの縦断側面図である。
【図５】図３に示すインパクトシールドの斜視図である。
【図６】本発明のインパクトシールドの更に他の実施例を示す斜視図である。
【図７】図６に示すインパクトシールドの縦断側面図である。
【図８】図６に示すインパクトシールドの他の使用状態を示す斜視図である。
【図９】図８に示すインパクトシールドの縦断側面図である。
【図１０】本発明のインパクトシールドの更に他の実施例を示す斜視図である。
【図１１】図１０に示すインパクトシールドの他の使用状態を示す斜視図である。
【図１２】図１１に示すインパクトシールドの斜視図である。
【図１３】本発明の更に他の実施例における可動壁の斜視図である。
【図１４】図１３に示す可動垂直壁を用いたインパクトシールドの使用例を示す縦断側面図である。
【図１５】図１３に示す可動垂直壁を用いたインパクトシールドの他の使用例を示す縦断側面図である。
【図１６】従来のインパクトシールドの斜視図である。
【符号の説明】
【００３０】
１  チャイルドシート
２  チャイルドシート本体
３  座部
４  袖壁部
５  インパクトシールド
６  延出部材
７  シートベルト
８  溝
９  クッション
１０  上壁部
１１  下壁部
１２  垂直壁部
１３  コ字状溝
１４  垂直壁
１５  水平孔
１６  スペーサ
１７  突起
１８  長溝
１９  段溝
２０  空所
２１  傾動壁
２２  長孔
２３  枢支ピン
２４  枢支ピン
２５  ストッパー
２６  凹部
２７  可動垂直壁
２８  棒状ストッパー
２９  孔
３０  ガイドピン
３１  ガイド溝
３２  傾斜面
３３  傾斜面
【図１】
2008062821.tif 000003
【図２】
2008062821.tif 000004
【図３】
2008062821.tif 000005
【図４】
2008062821.tif 000006
【図５】
2008062821.tif 000007
【図６】
2008062821.tif 000008
【図７】
2008062821.tif 000009
【図８】
2008062821.tif 000010
【図９】
2008062821.tif 000011
【図１０】
2008062821.tif 000012
【図１１】
2008062821.tif 000013
【図１２】
2008062821.tif 000014
【図１３】
2008062821.tif 000015
【図１４】
2008062821.tif 000016
【図１５】
2008062821.tif 000017
【図１６】
2008062821.tif 000018
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
シートベルトと幼児の前面間に介挿されるインパクトシールドであって、上壁部と、下壁部と、これらを上記幼児側の面で連結する幼児対接面と、上記上壁部と下壁部間に形成したシートベルト挿通溝とより成り、上記下壁部の下面よりの上記幼児対接面の高さが可変であることを特徴とするインパクトシールド。
【請求項２】
シートベルトと幼児の前面間に介挿されるインパクトシールドであって、上壁部と、下壁部と、これらを上記幼児側の面で連結する垂直壁部と、スペーサと、上記上壁部と下壁部間に形成したシートベルト挿通溝とより成り、上記垂直壁部が２部分に分割されており、その一方が他方に相対的に上向に摺動自在であって、上記一方が上昇した位置で上記一方の下部を上記スペーサが支持し、上記スペーサの端面が上記垂直壁部の幼児側面と一線となることを特徴とするインパクトシールド。
【請求項３】
上記スペーサの操作用突起が上記下壁部の上面に露出されていることを特徴とする請求項２記載のインパクトシールド。
【請求項４】
上記上方に摺動自在な垂直壁部の一方にその上昇操作用の係合部が設けられていることを特徴とする請求項２または３記載のインパクトシールド。
【請求項５】
シートベルトと幼児の前面間に介挿されるインパクトシールドであって、上壁部と、下壁部と、これらを上記幼児側の面で連結する垂直壁部と、上記上壁部と下壁部間に形成したシートベルト挿通溝と、上記上壁部の上部と上記垂直壁部の上部に形成された上面開放の空所内に傾動自在に配置された傾動壁部と、この傾動壁を傾動状態に保持する手段とより成り、上記傾動壁部を傾動せしめた位置で上記傾動壁部の上記幼児側の面が上記垂直壁部の上記幼児側の面と一線となることを特徴とするインパクトシールド。
【請求項６】
シートベルトと幼児の前面間に介挿されるインパクトシールドであって、上壁部と、下壁部と、これらを上記幼児側の面で連結する垂直壁部と、上記上壁部と下壁部間に形成したシートベルト挿通溝と、上記垂直壁部の上記幼児側の面に形成した上下に延びる溝と、この溝内に上下動自在に挿入した、上記垂直壁部の上記幼児側の面と一線となる背面を有する、上記溝より長い可動垂直壁と、この可動垂直壁を上記垂直壁部に相対的に任意の高さに固定する固定手段とより成ることを特徴とするインパクトシールド。
【請求項７】
上記固定手段が、上記可動垂直壁に形成した複数の上下の孔と、この孔の任意のものに係合されるよう上記下壁部に摺動自在に設けたストッパーとより成ることを特徴とする請求項６記載のインパクトシールド。
【請求項８】
上記可動垂直壁の下部に上記下壁部側に延び上記下壁部の下面に係合する係合部が設けられていることを特徴とする請求項６または７記載のインパクトシールド。
【請求項９】
上記可動垂直壁の側面とこれに対応する上記垂直壁の溝の側面の何れか一方にガイドピンが突設されており、何れか他方にガイド溝が形成されていることを特徴とする請求項６、７または８記載のインパクトシールド。